【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
当該表示装置の機器の傾きを検出する傾き検出手段と、
画像を再生、表示する表示手段とを有する表示装置において、
上記傾き検出手段で検出された当該表示装置の傾きに従って横縦比の異なる２つの画像表示モードの切換え制御を行う制御手段をさらに有することを特徴とする表示装置。
【請求項２】
横縦比の異なる２つの画像表示モードが静止画表示モード、動画表示モードであり、当該表示装置が水平にあれば初期設定として静止画表示モードとなり、当該表示装置の傾きが水平に対して所定の傾きになると、制御手段によって静止画表示モードから動画表示モードに切換えられる請求項１記載の表示装置。
【請求項３】
動画表示モード時には表示手段が動画アスペクトに対応する画面領域表示となる請求項１または２記載の表示装置。
【請求項４】
上記表示手段は長方形画面を有し、
上記長方形画面の全域に画像を表示する表示画面と、上記長方形画面の四隅にそれぞれが相似形となる三角形が現れ、第１の表示画面とは縦横比の異なる画面領域を切出して表示する別の表示画面とが選択して表示される請求項１〜３のいずれか記載の表示装置。
【請求項５】
縦横比がＹ：Ｘの撮像素子から縦横比がＴ：Ｈの画像を切り出して初期設定の表示モードとは異なる横縦比の表示モードに切換わる当該表示装置の傾き角度θが、
θ＝ａｒｃｔａｎ（（Ｔ・Ｘ−Ｈ・Ｙ）／（Ｔ・Ｙ−Ｈ・Ｘ））
である請求項１〜３のいずれか記載の表示装置。
【請求項６】
画像を再生、表示する表示手段を有する表示装置において、
上記表示手段は長方形画面を有し、
上記長方形画面の全域に画像を表示する表示画面と
上記長方形画面の四隅にそれぞれが相似形となる三角形が現れ、第１の表示画面とは縦横比の異なる画面領域を切出して表示する別の表示画面とが選択して表示されることを特徴とする表示装置。
【請求項７】
画像を表示する長方形画面の表示部を有する表示装置の表示制御プログラムにおいて、
当該表示装置の機器の傾きを検出する傾き検出手段の出力を判定するステップと、
上記長方形画面の四隅にそれぞれが相似形となる三角形を表示することによって、上記第長方形とは縦横比の異なる画面領域を切出して表示する表示画面とを生成するステップと、
上記長方形画面の全域を表示エリアとする表示と上記縦横比の異なる画像の表示とを上記傾き検出結果に従って選択するステップと、
を有することを特徴とする表示装置の表示プログラム。
【請求項８】
画像を撮影日時と関連づけて記録する記録手段と、
上記撮影の時系列に並べられた動画の代表シーンからなる第１のサムネイルと、上記撮影の時系列に並べられた静止画の縮小画像からなる第２のサムネイルとを切換えて表示可能な表示装置において、
上記第１、第２のサムネイルから選択した画像を拡大再生し、または、拡大再生から上記サムネイル表示に切換制御する制御手段を有し、
上記制御手段は、拡大再生からサムネイル表示に移行した時に、上記第１のサムネイルから選んだ画像の拡大再生後の第２のサムネイル、または、上記第２のサムネイルから選んだ画像の拡大再生後の第１のサムネイルが再生画像のうち撮影日時の近い画像を含むように第１、第２のサムネイルの再生を制御することを特徴とする表示装置。
【手続補正２】
【補正対象書類名】明細書
【補正対象項目名】００１１
【補正方法】変更
【補正の内容】
【００１１】
請求項１記載の本発明によれば、当該表示装置の機器の傾きを検出する傾き検出手段と、画像を再生、表示する表示手段とを有する表示装置において、上記傾き検出手段で検出された当該表示装置の傾きに従って横縦比の異なる２つの画像表示モードの切換え制御を行う制御手段をさらに有している。
【手続補正３】
【補正対象書類名】明細書
【補正対象項目名】００１２
【補正方法】変更
【補正の内容】
【００１２】
請求項２記載の本発明によれば、横縦比の異なる２つの画像表示モードが静止画表示モード、動画表示モードであり、当該表示装置が水平にあれば初期設定として静止画表示モードとなり、当該表示装置の傾きが水平に対して所定の傾きになると、制御手段によって静止画表示モードから動画表示モードに切換えられている。
【手続補正４】
【補正対象書類名】明細書
【補正対象項目名】００１４
【補正方法】変更
【補正の内容】
【００１４】
請求項４記載の本発明によれば、上記表示手段は長方形画面を有し、上記長方形画面の全域に画像を表示する表示画面と、上記長方形画面の四隅にそれぞれが相似形となる三角形が現れ、第１の表示画面とは縦横比の異なる画面領域を切出して表示する別の表示画面とが選択して表示されている。
【手続補正５】
【補正対象書類名】明細書
【補正対象項目名】００１５
【補正方法】変更
【補正の内容】
【００１５】
請求項５記載の本発明によれば、縦横比がＹ：Ｘの撮像素子から縦横比がＴ：Ｈの画像を切り出して初期設定の表示モードとは異なる横縦比の表示モードに切換わる当該表示装置の傾き角度θが、θ＝ａｒｃｔａｎ（（Ｔ・Ｘ−Ｈ・Ｙ）／（Ｔ・Ｙ−Ｈ・Ｘ））となっている。
【手続補正６】
【補正対象書類名】明細書
【補正対象項目名】００１６
【補正方法】変更
【補正の内容】
【００１６】
請求項６記載の本発明によれば、画像を再生、表示する表示手段を有する表示装置において、上記表示手段は長方形画面を有し、上記長方形画面の全域に画像を表示する表示画面と、上記長方形画面の四隅にそれぞれが相似形となる三角形が現れ、第１の表示画面とは縦横比の異なる画面領域を切出して表示する別の表示画面とが選択して表示されている。
請求項７記載の本発明によれば、画像を表示する長方形画面の表示部を有する表示装置の表示制御プログラムにおいて、当該表示装置の機器の傾きを検出する傾き検出手段の出力を判定するステップと、上記長方形画面の四隅にそれぞれが相似形となる三角形を表示することによって、上記第長方形とは縦横比の異なる画面領域を切出して表示する表示画面とを生成するステップと、上記長方形画面の全域を表示エリアとする表示と上記縦横比の異なる画像の表示とを上記傾き検出結果に従って選択するステップとを有している。
請求項８記載の本発明によれば、画像を撮影日時と関連づけて記録する記録手段と、上記撮影の時系列に並べられた動画の代表シーンからなる第１のサムネイルと、上記撮影の時系列に並べられた静止画の縮小画像からなる第２のサムネイルとを切換えて表示可能な表示装置において、上記第１、第２のサムネイルから選択した画像を拡大再生し、または、拡大再生から上記サムネイル表示に切換制御する制御手段を有し、上記制御手段は、拡大再生からサムネイル表示に移行した時に、上記第１のサムネイルから選んだ画像の拡大再生後の第２のサムネイル、または、上記第２のサムネイルから選んだ画像の拡大再生後の第１のサムネイルが再生画像のうち撮影日時の近い画像を含むように第１、第２のサムネイルの再生を制御している。
【手続補正７】
【補正対象書類名】明細書
【補正対象項目名】００２０
【補正方法】変更
【補正の内容】
【００２０】
請求項５記載の本発明では、静止画表示モード、動画表示モードを切換える表示装置の傾きが、撮像素子および切り出される画像の縦横比に対応して容易に設定できる。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
請求項８記載の本発明では、静止画、動画の混在する撮影画像から静止画、動画の対応する画像の相互の検索が容易に行なえ、対応する静止画、動画がスムースに再生、表示できる。
【手続補正１０】
【補正対象書類名】明細書
【補正対象項目名】００３５
【補正方法】変更
【補正の内容】
【００３５】
図３（Ａ）〜（Ｃ）はデジタルカメラを水平または傾けて構えた場合の液晶ディスプレイの表示をそれぞれ示す。
再生モードにしてデジタルカメラ１０を傾けることなく水平に構えると、初期設定である静止画表示モードのもとで、図３（Ａ）に示すように、混在する静止画、動画の中から静止画を一覧化した静止画のサムネイルが液晶ディスプレイ表示される。デジタルカメラ１０を回転し傾けると、静止画表示モードから動画表示モードに切換わり、図３（Ｂ）に示すように、混在する静止画、動画の中から動画を一覧化した動画のサムネイルが液晶ディスプレイ表示される。動画表示モード時においては、動画用のアスペクト比１６：９の枠１６Ａが表示されるため、動画表示モードであることが容易に意識される。
なお、静止画においてはその縮小画像が、動画においては動画における代表的な画像がサムネイルにおいて表示される。
【手続補正１１】
【補正対象書類名】明細書
【補正対象項目名】００３６
【補正方法】変更
【補正の内容】
【００３６】
このように、デジタルカメラ１０を傾けると、静止画表示モードから動画表示モードに切換えられ、動画は傾けた状態で再生、表示されている。
印刷される紙、印画紙の規格をもとにした静止画の表示画面の横縦比４：３が基準となっているのに対して、動画の再生では横縦比がＴＶ基準の１６：９とされ、静止画の表示画面よりも横長とされる。動画における再生表示を横長にしないで静止画と同じ横縦比で表示領域を確保すると、図３（Ｃ）に示すように、座り心地の悪い表示となり、違和感を覚え、デザイン的にも直感的にも好ましくない。
つまり、動画の再生においては、ＴＶでの再生を想定して撮影画面がアスペクト比（横縦比）１６：９となっているため、液晶ディスプレイ１６を斜めに配置したままでも動画表示モード時の枠１６Ａに再生画像を収めることができる。つまり、適切な表示領域を確保しているため、傾けた状態で再生しても支障なく、むしろ自然といえる。
【手続補正１２】
【補正対象書類名】明細書
【補正対象項目名】００３９
【補正方法】変更
【補正の内容】
【００３９】
本発明では、動画表示においては、ＴＶでの再生を想定するため画面アスペクト比が１６：９に規定されており、このような制限を考慮しても、図３（Ｂ）のような画面領域１６Ａのもとで画質が十分で横縦比も適切で、画角の制限もない表示が可能となる。また、ＴＶの再生を前提とすると、横長構図に限定してもよいという考え方が動画表示で成立する。そのため、本発明では、動画表示時には、最適な限られた領域を使って傾けた状態での表示を設定している。
【手続補正１３】
【補正対象書類名】明細書
【補正対象項目名】００６０
【補正方法】変更
【補正の内容】
【００６０】
デジタルカメラ１０が所定角度傾けられて、動画アスペクト比で検出可能なものとＳ１２２で判定されれば、Ｓ１４１に進んで動画が再生される。Ｓ１４１からＳ１４８のステップにおける動画の表示は、Ｓ１３１からＳ１３８における静止画表示において対象となる表示画像を静止画から動画に代えたものにすぎない。なお、静止画表示におけるサムネイルおよび選択された画像は、液晶ディスプレイ１６の全面を使用して（拡大）表示されるのに対して、動画表示におけるサムネイルおよび選択された画像は、図３（Ｂ）に示すように、動画アスペクト比の枠１６Ａという限定された画面領域に（拡大）表示され、動画が再生される。
【手続補正１４】
【補正対象書類名】明細書
【補正対象項目名】００６９
【補正方法】変更
【補正の内容】
【００６９】
実施例では、動画表示モードでは、アスペクト比（横縦比）４：３の液晶ディスプレイ（表示手段）から１６：９の画像領域を切り出している。しかしながら、本発明はアスペクト比（横縦比）４：３の液晶ディスプレイ（表示手段）に限定されず、それ以外の横縦比の液晶ディスプレイ（表示手段）に本発明を応用することも可能であり、ハイビジョンＴＶサイズ以外のアスペクト比の表示装置に対応させることもできる。